(57)【要約】【課題】モーター外径が大きくなる場合でも、ファン部分の通風面積を従来よりも大きく確保することができ、室内機の大型化を抑制することができる空気調和機の室内機を得る。【解決手段】室内機４０は、ファン駆動用のモーター１０がベルトドライブ機構３０によって２つのファン４と接続され、ファン４のボスの外径はモーター１０の本体の外径よりも小さくなっている。また、室内機４０は、モーター１０の回転軸１７と直交する平面において、モーター１０がファン４と重ならない位置に配置されており、モーター１０の回転軸１７方向におけるモーター１０とファン４との配置関係においては、モーター１０の本体の少なくとも一部がファン４の羽根と重なる位置に配置されている。【選択図】図２
2014142162.tif 000002
【特許請求の範囲】
【請求項１】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されていることを特徴とする空気調和機の室内機。
【請求項２】
前記ベルトドライブ機構で接続された前記ファン駆動用モーター及び前記ファンの回転軸は、
前記ファン駆動用モーターの回転軸と直交する平面において、同一の直線上に配置されていることを特徴とする請求項１に記載の空気調和機の室内機。
【請求項３】
前記ファン駆動用モーターの回転軸と直交する平面において、
前記ベルトドライブ機構で接続された全ての前記ファンの回転軸は、両端部の前記ファンの回転軸を結んだ線分上に配置されており、
前記ベルトドライブ機構で接続された前記ファン駆動用モーターの回転軸は、前記線分と垂直に交わる直線上であって、前記線分上でない位置に配置されていることを特徴とする請求項１に記載の空気調和機の室内機。
【請求項４】
前記ファン駆動用モーターには、前記ベルトドライブ機構によって３つ以上の前記ファンが接続されており、
前記ファン駆動用モーターの回転軸と直交する平面において、
前記ベルトドライブ機構で接続された前記ファンのうち、両端部に配置された前記ファン以外の前記ファンの回転軸は、両端部の前記ファンの回転軸を結んだ線分と垂直に交わる直線上であって、前記線分上でない位置に配置されており、
前記ベルトドライブ機構で接続された前記ファン駆動用モーターの回転軸は、前記線分と垂直に交わる直線上に配置されていることを特徴とする請求項１に記載の空気調和機の室内機。
【請求項５】
前記ファンの回転軸を支持する支持構造を備え、
前記ベルトドライブ機構の前記ベルトは、前記ファン駆動用モーターの回転軸と直交する平面において、前記支持構造と重なる位置に配置されていることを特徴とする請求項１〜請求項４のいずれか一項に記載の空気調和機の室内機。
【請求項６】
前記支持構造の少なくとも一部は中空構造となっており、
前記ベルトドライブ機構の前記ベルトは、中空構造となった前記支持構造の内部に配置されていることを特徴とする請求項５に記載の空気調和機の室内機。
【請求項７】
前記ベルトは、前記支持構造の下流側に配置されていることを特徴とする請求項５又は請求項６に記載の空気調和機の室内機。
【請求項８】
内周面側に前記ファンが設けられる複数のベルマウスを備え、
前記支持構造は、該ベルマウスに設けられ、
前記ベルトドライブ機構で１つの前記ファン駆動用モーターに接続される前記ファンは２つであり、
これら１つの前記ファン駆動用モーター及び２つの前記ファンは、これら１つの前記ファン駆動用モーター及び２つの前記ファンの回転軸を直線で接続した三角形が前記ファン駆動用モーターの回転軸を頂点とする二等辺三角形となるように配置され、
前記支持構造は、同一の前記ベルトドライブ機構で接続された２つの前記ファンの並設方向と直交する平面に対して対称に配置されていることを特徴とする請求項５〜請求項７のいずれか一項に記載の空気調和機の室内機。
【請求項９】
請求項１〜請求項８のいずれか一項に記載の室内機を備えた空気調和機。
【発明の詳細な説明】
【技術分野】
【０００１】
本発明は、ファンと熱交換器とをケーシング内に収納した室内機、及びこの室内機を備えた空気調和機に関するものである。
【背景技術】
【０００２】
従来から、ファンと熱交換器とをケーシング内に収納した空気調和機の室内機が存在する。そのようなものとして、「上部に吸込口が形成され、下部に吹出口が形成されたケーシングと、ケーシング内の吸込口の下流側に設けられた軸流型又は斜流型のファンと、ケーシング内のファンの下流側であって、吹出口の上流側に設けられ、ファンから吹き出された空気と冷媒とが熱交換する熱交換器と、を備えた空気調和機の室内機」というものが提案されている（例えば、特許文献１参照）。この空気調和機の室内機は、ファンが熱交換器の上流側に設けられているため、ファンに流入する空気の流れは乱れの少ないものとなり、このため、ファンから発生する騒音を抑制することができる。
【先行技術文献】
【特許文献】
【０００３】
【特許文献１】ＷＯ２０１０／０８９９２０号
【発明の概要】
【発明が解決しようとする課題】
【０００４】
特許文献１のような軸流型又は斜流型のファンを有する空気調和機は、ファンごとにファン駆動用モーターを備え、ファンのボスにファン駆動用モーターが直結された構成となっている。つまり、特許文献１のような軸流型又は斜流型のファンを有する空気調和機は、ファンの中心部にファン駆動用モーターが配置された構成となっている。このため、ファン部分の通風面積は、およそファンのボス又はモーター外径の大きい方とファンの外径（≒ベルマウス内径）とで挟まれたドーナツ状の円環領域となる。この通風面積を大きくすることで、同一風量時の空力騒音を低減するとともに通風速度（動圧損失）を低下させ、消費電力を削減できる高い送風性能のファンを構成することができる。
【０００５】
しかしながら、近年、室内機の省エネ性や高能力化のために、送風量を増大させる設計がしばしば行われる。さらに、近年、強力磁石の材料であるレアアース使用量削減のため、モーターの小型化が困難な傾向にある。つまり、近年はファン駆動用モーターが大型化してしまう傾向にある。このため、特許文献１のような軸流型又は斜流型のファンを有する空気調和機は、ファン駆動用モーター外径が大きくなってしまい、ファン部分の通風面積を拡大することが困難となり、ファン性能を改善するのが困難であるという課題があった。また、特許文献１のような軸流型又は斜流型のファンを有する空気調和機は、ファン駆動用モーターの大型化に伴って、空気調和機の室内機も大型化してしまうという課題もあった。
【０００６】
本発明は、上述のような課題を解決するためになされたものであり、モーター外径が大きくなる場合でも、ファン部分の通風面積を従来よりも大きく確保することができ、室内機の大型化を抑制することができる空気調和機の室内機、及びこの室内機を備えた空気調和機を得ることを目的とする。
【課題を解決するための手段】
【０００７】
本発明に係る空気調和機の室内機は、吸込口と吹出口が形成されたケーシングと、前記ケーシング内の前記吸込口の下流側に設けられた軸流型又は斜流型の複数のファンと、複数の前記ファンを駆動する少なくとも１つのファン駆動用モーターと、前記ケーシング内の前記ファンの下流側であって、前記吹出口の上流側に設けられ、前記ファンから吹き出された空気と冷媒とが熱交換する熱交換器と、を備え、前記ファン駆動用モーターは、当該ファン駆動用モーターの駆動力を前記ファンに伝達するベルトを有するベルトドライブ機構によって、当該ファン駆動用モーターよりも多数の前記ファンと接続され、前記ベルトドライブ機構で接続された前記ファン駆動用モーター及び前記ファンは、前記ファン駆動用モーターの本体の外径よりも前記ファンのボスの外径が小さくなっており、前記ファン駆動用モーターの回転軸と直交する平面において、前記ファン駆動用モーターが前記ファンと重ならない位置に配置されており、前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されているものである。
【０００８】
また、本発明に係る空気調和機は、本発明に係る空気調和機の室内機を備えたものである。
【発明の効果】
【０００９】
本発明においては、ファン駆動用モーターが、当該ファン駆動用モーターの駆動力をファンに伝達するベルトを有するベルトドライブ機構によって、当該ファン駆動用モーターよりも多数のファンと接続されている。そして、ベルトドライブ機構で接続されたファン駆動用モーター及びファンは、ファン駆動用モーターの本体の外径よりもファンのボスの外径が小さくなっており、ファン駆動用モーターの回転軸と直交する平面において、ファン駆動用モーターがファンと重ならない位置に配置されている。このため、本発明は、モーター外径が大きくなる場合でも、ファン部分の通風面積を従来よりも大きく確保することができる。したがって、本発明は、同一風量時の空力騒音を低減するとともに通風速度（動圧損失）を低下させ、消費電力を削減できる。
さらに、本発明においては、ベルトドライブ機構で接続されたファン駆動用モーター及びファンは、ファン駆動用モーターの回転軸方向におけるファン駆動用モーターとファンとの配置関係において、ファン駆動用モーターの本体の少なくとも一部が前記ファンの羽根と重なる位置に配置されている。このため、本発明は、空気調和機の室内機におけるファン駆動用モーターの回転軸方向の寸法をコンパクト化することもできる。
【図面の簡単な説明】
【００１０】
【図１】本発明の実施の形態１に係る空気調和機の室内機の一例を示す主要部品の縦断面図である。
【図２】本発明の実施の形態１に係る空気調和機の室内機のファンユニットを示す斜視図である。
【図３】本発明の実施の形態１に係る空気調和機の室内機のファンユニットを示す底面図である。
【図４】本発明の実施の形態２に係る空気調和機の室内機におけるファン及びモーターの配置例を説明するための説明図である。
【図５】本発明の実施の形態２に係る空気調和機の室内機におけるファン及びモーターの別の配置例を説明するための説明図である。
【図６】本発明の実施の形態２に係る空気調和機の室内機におけるファン及びモーターの別の配置例を説明するための説明図である。
【図７】本発明の実施の形態２に係る空気調和機の室内機におけるファン及びモーターの別の配置例を説明するための説明図である。
【図８】本発明の実施の形態２に係る空気調和機の室内機におけるファン及びモーターの別の配置例を説明するための説明図である。
【図９】本発明の実施の形態２に係る空気調和機の室内機におけるファン及びモーターの別の配置例を説明するための説明図である。
【図１０】本発明の実施の形態２に係る空気調和機の室内機におけるファン及びモーターの別の配置例を説明するための説明図である。
【図１１】本発明の実施の形態２に係る空気調和機の室内機におけるファン及びモーターの別の配置例を説明するための説明図である。
【図１２】本発明の実施の形態３に係る空気調和機の室内機のファンユニットを示す底面図である。
【図１３】図１２のＡ−Ａ断面図である。
【図１４】本発明の実施の形態３に係る空気調和機の室内機におけるファンサポートの別の一例を示す断面図である。
【発明を実施するための形態】
【００１１】
実施の形態１．
以下、本発明の実施の形態１に係る空気調和機の室内機を図面に基づいて説明する。
【００１２】
図１は、本発明の実施の形態１に係る空気調和機の室内機の一例を示す主要部品の縦断面図である。図１に基づいて、本実施の形態１に係る室内機４０の構成について説明する。
この室内機４０は、冷媒を循環させる冷凍サイクルを利用することで室内等の空調対象域に空調空気を供給するものである。また、以下の図面では各構成部材の大きさ、詳細形状が実際のものとは異なる場合がある。また、室内機４０が空調対象域の壁面に取り付けられる壁掛け型である場合を例に示している。
【００１３】
室内機４０は、主に、室内空気を内部に吸い込むための吸込口２及び空調空気を空調対象域に供給するための吹出口３が形成されているケーシング１と、このケーシング１内に収納され、吸込口２から室内空気を吸い込み、吹出口３から空調空気を吹き出すファン４と、ファン４から吹出口３までの風路に配設され、冷媒と室内空気とが熱交換することで空調空気を作り出す熱交換器５と、を有している。
【００１４】
ケーシング１は、室内機４０の骨格を形成するとともに風路の構成を目的として構成された部位の総称であり、複数の部品の組合せで構成しても一体構造でもよい。本実施の形態１では、図１に示すように、背面ケーシング１ａ、上面ケーシング１ｂ、前面ケーシング１ｃ及び側面ケーシング１ｄでケーシング１を構成し、これらによって閉じた風路を形成している。ここで、上述のように、本実施の形態１に係る室内機４０は、熱交換器５の上流側にファン４を配置している。つまり、本実施の形態１に係る室内機４０は、ファン４によって熱交換器５へ空気を押し込む構成となっている。このため、ケーシング１の密閉度が低いと、ファン４から吐き出された空気は、熱交換器５を通過せずにケーシング１の隙間から流出してしまう。このため、熱交換器５の上流側にファン４を配置している本実施の形態１に係る室内機４０においては、ファン４から吐き出された空気が熱交換器５を通過するまでの風路の密閉度を高めて、ファン４から吐き出された空気をもれなく熱交換器５に導き、効率的に熱交換する必要がある。
【００１５】
吸込口２は、ケーシング１の上部に開口形成されている。吹出口３は、ケーシング１の下部（より詳しくは、ケーシング１の前面部下側）に開口形成されている。ファン４は、例えば軸流型又は斜流型のファンであり、吸込口２の下流側でかつ、熱交換器５の上流側に配設されている。熱交換器５は、ファン４の風下側に配置されている。この熱交換器５には、例えばフィンチューブ型やコルゲートフィン型の熱交換器等が用いられている。また、ファン４の吸込口２には、回転するファン４への接触を防止するためのフィンガーガード６、及び、室内空気に含まれる塵埃を濾し取るエアフィルター７が設けられている。さらに、吹出口３には、気流の吹出し方向を制御する機構、例えば図示省略のベーン等が設けられている。なお、室内機４０のファン駆動用モーターやベーン駆動用モーター等を制御する電気基板等は図１から省略している。
【００１６】
続いて、本実施の形態１に係る室内機４０のファン４近傍の構成について説明する。
【００１７】
図２は、本発明の実施の形態１に係る空気調和機の室内機のファンユニットを示す斜視図である。また、図３は、このファンユニットを示す底面図である。なお、図２は、上方からファンユニットを観察した斜視図となっている。
【００１８】
図２及び図３に示すように、本実施の形態１に係る室内機４０は、ファン４をファンユニット２０として組み立てた後、ケーシング１に取り付ける構成となっている。このファンユニット２０は、ベース板２１、複数のファン４（本実施の形態１では２つ）、ファン４を駆動するためのファン駆動用モーターであるモーター１０、及び、複数のファン４とモーター１０とを接続するベルトドライブ機構３０を備えている。ベース板２１へのモーター１０の取り付け方法は、例えば、ベース板２１に長穴を形成し、該長穴に通したボルトで、モーター１０とベース板２１とを締結している。このようにモーター１０をベース板２１に取り付けることにより、モーター１０の取り付け位置を長穴の長軸方向に調整可能となるため、ファンユニット２０の組み立て時にベルト３３の張力を調整することが可能となる。また例えば、モーター１０をスライド自在にベース板２１に取り付け、ベルト３３に張力がかかる方向にモーター１０をバネ等で付勢（支持）してもよい。このようにモーター１０をベース板２１に取り付けることにより、モーター１０にオートテンショナーとしての機能を持たせることもできる。
【００１９】
ベース板２１は、ケーシング１の一部を構成するものであり、背面ケーシング１ａ、前面ケーシング１ｃ及び側面ケーシング１ｄで形成される風路と同様の略直方体形状をしている。このベース板２１にはファン４の個数に対応した２つの貫通穴が形成されており、これら２つの貫通穴のそれぞれにはベルマウス２２が一体成型あるいは別体で取り付けられている。このベース板２１は、吸込口２の下流側において、背面ケーシング１ａ、前面ケーシング１ｃ及び側面ケーシング１ｄで形成される風路を閉塞するように、これら背面ケーシング１ａ、前面ケーシング１ｃ及び側面ケーシング１ｄに取り付けられる。この状態では、ベース板２１の上下の風路は、ベルマウス２２で連通することとなる。
【００２０】
また、平面視において（モーター１０の回転軸１７と垂直な平面において）、各ベルマウス２２の略中央部には、ファン４の回転軸１４を回転自在に支持するベアリングマウント２３が設けられている。そして、これらベアリングマウント２３のそれぞれは、例えば棒状の複数のファンサポート２４によってベルマウス２２に接続されて、固定されている。これらベアリングマウント２３及びファンサポート２４は、ファン４の下方、つまり、ファン４の下流側に配置されている。ここで、ベアリングマウント２３及びファンサポート２４が、本発明の支持構造に相当する。
なお、本実施の形態１では、各ベルマウス２２のファンサポート２４は、ベルマウス２２の並設方向と直交する平面に対して対称に配置されている。
【００２１】
２つのファン４は、該ファン４の中心部に位置するボス９に回転軸１４が設けられている。そして、各ファン４は平面視においてベルマウス２２の内周面側に配置され、各ファン４の回転軸１４はベアリングマウント２３に回転自在に支持されている。また、本実施の形態１では、ファン４部分の通風面積を大きく確保するため、ファン４のボス９の外径を、モーター１０の外径よりも小さく形成している。
【００２２】
モーター１０は、平面視において各ファン４と重ならない位置に配置され、ベース板２１に固定されている。また、ベース板２１のモーター１０取付位置は凹部２５となっており、モーター１０は、側面視において、モーター１０の本体の少なくとも一部がファン４の羽根高さと重なる位置に配置されている。換言すると、モーター１０は、モーター１０の回転軸１７方向におけるモーター１０とファン４との配置関係において、モーター１０の本体の少なくとも一部がファン４の羽根と重なる位置に配置されている。
【００２３】
ベルトドライブ機構３０は、各ファン４の回転軸１４に取り付けられたプーリ３１、モーター１０の回転軸１７に取り付けられたプーリ３２、及び、プーリ３１及びプーリ３２に引っ掛けられたベルト３３を備えている。つまり、モーター１０は自身よりも多数のファン４とベルトドライブ機構３０により接続され、モーター１０の駆動力をベルト３３によってこれらファン４に伝達する構成となっている。
なお、本実施の形態１では、１本のベルト３３で１つのモーター１０と２つのファン４とを接続する構成となっているが、モーター１０と各ファン４とを別々のベルト３３で接続する構成としてもよい。
【００２４】
また、本実施の形態１では、平面視においてベルトドライブ機構３０のベルト３３とファンサポート２４とが重なり合う構成となっている。さらに、本実施の形態１では、各ファン４の回転軸１４及びモーター１０の回転軸１７がベース板２１の下方に突出しており、プーリ３１，３２はこれら回転軸１４，１７の突出部分に取り付けられる構成となっている。つまり、本実施の形態１では、ベルトドライブ機構３０のプーリ３１及びベルト３３が、ベアリングマウント２３及びファンサポート２４の下流側に配置された構成となっている。なお、上述のように、ファンサポート２４はベルマウス２２の並設方向（つまり、ファン４の並設方向）と直交する平面に対して対称に配置されている。平面視においてこのようなファンサポート２４にベルト３３を重ね合わすため、本実施の形態１では、モーター１０の回転軸１７及び各ファン４の回転軸１４の３点を直線で接続した三角形が、モーター１０の回転軸１７を頂点（底辺の対頂点）とする二等辺三角形となるように、モーター１０及び各ファン４を配置している。
【００２５】
以上、本実施の形態１のように構成された室内機４０においては、ベルトドライブ機構３０によって、１つのモーター１０が当該モーター１０よりも多数のファン４と接続されている。そして、ファン４のボス９はモーター１０の本体の外径よりも小さくなっており、平面視において、モーター１０はファン４と重ならない位置に配置されている。このため、本実施の形態１に係る室内機４０は、モーター１０の本体の外径が大きくなる場合でも、ファン４部分の通風面積（およそ、ファン４のボス９とファン４の外径（≒ベルマウス２２の内径）とで挟まれたドーナツ状の円環領域）を従来よりも大きく確保することができる。したがって、本実施の形態１に係る室内機４０は、同一風量時の空力騒音を低減するとともに通風速度（動圧損失）を低下させ、消費電力を削減できる。
さらに、本実施の形態１に係る室内機４０においては、モーター１０は、側面視において、モーター１０の本体の少なくとも一部がファン４の羽根高さと重なる位置に配置されている。換言すると、モーター１０は、モーター１０の回転軸１７方向におけるモーター１０とファン４との配置関係において、モーター１０の本体の少なくとも一部がファン４の羽根と重なる位置に配置されている。このため、本実施の形態１に係る室内機４０は、縦方向の寸法（モーター１０の回転軸１７方向の寸法）をコンパクト化することもできる。
【００２６】
また、本実施の形態１に係る室内機４０においては、ベルト３３とファンサポート２４とは、平面視において、互いに重なり合う構成となっている。このため、本実施の形態１に係る室内機４０は、通風抵抗を減じることができ、ファン４の性能（同一風量時の静圧上昇、効率、騒音）の低下を抑制することができる。
さらに、本実施の形態１では、ベルト３３がファンサポート２４の下流側に配置されている。このため、本実施の形態１に係る室内機４０は、ファン４の生成した気流がベルト３３に直接吹きかかることがないため、エアフィルター７で除去しきれない埃、油及び化学物質に暴露されることによるベルト３３の材料劣化及び運転不具合等を防止することができる。この効果は風上側にファンサポート２４、風下側にベルト３３が重なるように配置されていれば良いので、図３で示したように必ずしもファン４の下流側にファンサポート２４及びベルト３３が配置されている必要は無い。つまり、ファン４の上流側にファンサポート２４及びベルト３３が配置されても同様の効果が得られる。
【００２７】
また、本実施の形態１に係る室内機４０は、モーター１０の回転軸１７及び各ファン４の回転軸１４の３点を直線で接続した三角形が、モーター１０の回転軸１７を頂点とする二等辺三角形となるように、モーター１０及び各ファン４を配置している。このため、本実施の形態１に係る室内機４０は、ベルト３３とファンサポート２４とを平面視において互いに重なり合うように配置する際、ファン４の並設方向と直交する平面に対して対称にファンサポート２４が配置されたベルマウス２２を用いることができる。したがって、本実施の形態１に係る室内機４０は、ベルマウス２２の共通化を図ることができる。
【００２８】
また、本実施の形態１に係るベルト３３にフッ素系のゴムを使用することで、油汚れに対する耐性を向上することができる。さらに、プーリ３１，３３とベルト３３との接触部において、同質の素材を用いることで、プーリ３１，３３あるいはベルト３３の極端な片減り摩耗を防止することができる。
【００２９】
なお、本実施の形態１では、ベルトドライブ機構３０によって１つのモーター１０に２つのファン４を接続する場合を示したが、ベルトドライブ機構３０によって１つのモーター１０に３つ以上のファン４を接続しても上記と同様の効果が得られる。また、本実施の形態１では、モーター１０を１つのみ備えた室内機４０について説明したが、室内機４０に複数のモーター１０を備えていても勿論よい。この場合、各モーター１０毎に、ベルトドライブ機構３０によって複数のファン４を接続すれば、上記と同様の効果が得られる。また、本実施の形態１ではケーシング１の上部から空気を吸い込み下部から吹き出す室内機４０を説明したが、ケーシング１に形成される吸込口２及び吹出口３の位置は、任意である。例えば、ケーシングの下部から空気を吸い込み上部から吹き出す室内機においても、上記と同様の効果を得ることができる。
【００３０】
実施の形態２．
本実施の形態２では、同一のベルトドライブ機構３０によって接続されたファン４及びモーター１０の配置構成の一例について説明する。なお、本実施の形態２で特に記述しない項目については実施の形態１と同様とし、同一の機能や構成については同一の符号を用いて述べることとする。
【００３１】
図４は、本発明の実施の形態２に係る空気調和機の室内機におけるファン及びモーターの配置例を説明するための説明図である。なお、図４（ａ）は、ファン４、モーター１０及びベルトドライブ機構３０（プーリ３１，３２、ベルト３３）を示す底面図である。また、図４（ｂ）は、ファン４及びモーター１０の配置位置の理解を容易とするために、ファン４の回転軸１４及び該回転軸１４に取り付けられたプーリ３１、モーター１０の回転軸１７及び該回転軸１７に取り付けられたプーリ３２、並びに、プーリ３１，３２に引っ掛けられたベルト３３のみを図示したものである。
【００３２】
例えば図４に示すように、ベルトドライブ機構３０によって１つのモーター１０に２つのファン４を接続する際、隣接するファン４の回転軸１４（つまりプーリ３１中心）を結んだ線分Ｂ（回転軸１４間の有限長さの直線）に対して、モーター１０の回転軸１７及びプーリ３２を、線分Ｂと垂直に交わる直線上であって、線分Ｂ上でない位置に配置してもよい。
【００３３】
このようにファン４及びモーター１０を配置することにより、隣接するファン４の間に存在する空きスペースを有効利用できるので、ファン４とモーター１０の実装性を高めることができ、室内機４０の幅方向のスペース（ファン４並設方向スペース）をコンパクトに構成することができる。
【００３４】
図５は、本発明の実施の形態２に係る空気調和機の室内機におけるファン及びモーターの別の配置例を説明するための説明図である。なお、図５（ａ）は、ファン４、モーター１０及びベルトドライブ機構３０（プーリ３１，３２、ベルト３３）を示す底面図である。また、図５（ｂ）は、ファン４及びモーター１０の配置位置の理解を容易とするために、ファン４の回転軸１４及び該回転軸１４に取り付けられたプーリ３１、モーター１０の回転軸１７及び該回転軸１７に取り付けられたプーリ３２、並びに、プーリ３１，３２に引っ掛けられたベルト３３のみを図示したものである。
【００３５】
例えば図５（ａ），（ｂ）に示すように、ベルトドライブ機構３０によって１つのモーター１０に２つのファン４を接続する際、隣接するファン４の回転軸１４を通る直線Ｃ上に、モーター１０の回転軸１７及びプーリ３２を配置してもよい。つまり、同一の直線Ｃ上に、ファン４の回転軸１４及び該回転軸１４に取り付けられたプーリ３１と、モーター１０の回転軸１７及び該回転軸１７に取り付けられたプーリ３２とを配置してもよい。
【００３６】
このようにファン４及びモーター１０を配置することにより、室内機４０の奥行き方向のスペース（ファン４並設方向と垂直方向のスペース）をコンパクトに構成することができる。
なお、図５（ｃ）に示すように、隣接するファン４の回転軸１４を結んだ線分Ｂ（直線Ｃのうち、回転軸１４間の有限長さ部分）上に、モーター１０の回転軸１７及びプーリ３２を配置しても、同様の効果を得ることができる。
【００３７】
図６は、本発明の実施の形態２に係る空気調和機の室内機におけるファン及びモーターの別の配置例を説明するための説明図である。なお、図６（ａ）は、ファン４、モーター１０及びベルトドライブ機構３０（プーリ３１，３２、ベルト３３）を示す底面図である。また、図６（ｂ）は、ファン４及びモーター１０の配置位置の理解を容易とするために、ファン４の回転軸１４及び該回転軸１４に取り付けられたプーリ３１、モーター１０の回転軸１７及び該回転軸１７に取り付けられたプーリ３２、並びに、プーリ３１，３２に引っ掛けられたベルト３３のみを図示したものである。
【００３８】
例えば図６（ａ），（ｂ）に示すように、ベルトドライブ機構３０によって１つのモーター１０に３つ以上のファン４を接続する際、図５（ａ），（ｂ）と同様に、両端部のファン４の回転軸１４を通る直線Ｃ上に、モーター１０の回転軸１７及びプーリ３２と、両端部以外のファン４の回転軸１４及びプーリ３２を配置してもよい。つまり、同一の直線Ｃ上に、全てのファン４の回転軸１４及び該回転軸１４に取り付けられたプーリ３１と、モーター１０の回転軸１７及び該回転軸１７に取り付けられたプーリ３２とを配置してもよい。
【００３９】
このようにファン４及びモーター１０を配置することにより、図５（ａ），（ｂ）と同様に、室内機４０の奥行き方向のスペース（ファン４並設方向と垂直方向のスペース）をコンパクトに構成することができる。
なお、図６（ｃ）に示すように、図５（ｃ）と同様、両端部のファン４の回転軸１４を結んだ線分Ｂ（直線Ｃのうち、回転軸１４間の有限長さ部分）上に、全てのファン４の回転軸１４及び該回転軸１４に取り付けられたプーリ３１と、モーター１０の回転軸１７及び該回転軸１７に取り付けられたプーリ３２とを配置しても、同様の効果を得ることができる。
【００４０】
図７は、本発明の実施の形態２に係る空気調和機の室内機におけるファン及びモーターの別の配置例を説明するための説明図である。なお、図７は、ファン４及びモーター１０の配置位置の理解を容易とするために、ファン４の回転軸１４及び該回転軸１４に取り付けられたプーリ３１、モーター１０の回転軸１７及び該回転軸１７に取り付けられたプーリ３２、並びに、プーリ３１，３２に引っ掛けられたベルト３３のみを図示したものである。
【００４１】
例えば図７に示すように、ベルトドライブ機構３０によって１つのモーター１０に３つ以上のファン４を接続する際、両端部のファン４の回転軸１４（つまりプーリ３１中心）を結んだ線分Ｂに対して、両端部以外のファン４の回転軸１４及びプーリ３２を配置してもよい。そして、図４と同様に、モーター１０の回転軸１７及びプーリ３２を、線分Ｂと垂直に交わる直線上であって、線分Ｂ上でない位置に配置してもよい。
【００４２】
このようにファン４及びモーター１０を配置することにより、隣接するファン４の間に存在する空きスペースを有効利用できるので、ファン４とモーター１０の実装性を高めることができ、室内機４０の幅方向のスペース（ファン４並設方向スペース）をコンパクトに構成することができる。
【００４３】
図８は、本発明の実施の形態２に係る空気調和機の室内機におけるファン及びモーターの別の配置例を説明するための説明図である。なお、図８（ａ）は、ファン４、モーター１０及びベルトドライブ機構３０（プーリ３１，３２、ベルト３３）を示す底面図である。また、図８（ｂ）は、ファン４及びモーター１０の配置位置の理解を容易とするために、ファン４の回転軸１４及び該回転軸１４に取り付けられたプーリ３１、モーター１０の回転軸１７及び該回転軸１７に取り付けられたプーリ３２、並びに、プーリ３１，３２に引っ掛けられたベルト３３のみを図示したものである。
【００４４】
例えば図８に示すように、ベルトドライブ機構３０によって１つのモーター１０に３つ以上のファン４を接続する際、両端部のファン４の回転軸１４（つまりプーリ３１中心）を結んだ線分Ｂに対して、両端部以外のファン４の回転軸１４及びプーリ３２を、線分Ｂと垂直に交わる直線上であって、線分Ｂ上でない位置に配置してもよい。このとき、モーター１０の回転軸１７及びプーリ３２は、線分Ｂと交わる直線上であれば、図８に示したように線分Ｂ上に配置してもよいし、図９（ｃ）〜図１０（ｈ）に示すように線分Ｂ上でない位置に配置してもよい。
【００４５】
ベルトドライブ機構３０によって１つのモーター１０に３つ以上のファン４を接続する際、このようにファン４及びモーター１０を配置することにより、図７で示した場合に比べて、室内機４０の幅方向のスペース（ファン４並設方向スペース）を更にコンパクトに構成することができる。
【００４６】
ただし、図８〜図１０で示したように、両端部以外のファン４の回転軸１４及びプーリ３２を、線分Ｂと垂直に交わる直線上であって線分Ｂ上でない位置に配置する場合、モーター１０の回転軸１７及びプーリ３２を線分Ｂと交わる直線上に配置しなければ実施の形態１で示した効果が得られないわけではない。他の構造物との兼ね合いにより、図１１に示すように、モーター１０の回転軸１７及びプーリ３２を、線分Ｂと交わる直線上以外の位置に配置しても、実施の形態１で示した効果を得ることができる。
【００４７】
なお、本実施の形態２では特に言及しなかったが、ベルト３３の巻き角調整用のアイドラや張力調整用のテンショナーを配置する等、ベルト駆動する上での一般的技術を適宜採用できることは言うまでもない。
【００４８】
実施の形態３．
平面視においてベルト３３とファンサポート２４とが重なり合う構成にする場合、ファンサポートを次のように構成してもよい。なお、本実施の形態３で特に記述しない項目については実施の形態１又は実施の形態２と同様とし、同一の機能や構成については同一の符号を用いて述べることとする。
【００４９】
図１２は、本発明の実施の形態３に係る空気調和機の室内機のファンユニットを示す底面図である。また、図１３は、図１２のＡ−Ａ断面図である。
本実施の形態３に係るファンサポート２４の一部は、図１２に示すように中空半開放構造（内部が中空形状で、外周部の一部が開放した構造）に構成され、その内部にベルト３３が配置されている。つまり、本実施の形態３に係るファンサポート２４の一部は、ベルトカバー１８として機能している。
【００５０】
このようにファンサポート２４の一部をベルトカバー１８として用いることにより、ファンサポート２４とベルト３３が配設されるスペースをコンパクトに構成することができる。さらに、例えば図１４に示すように、ベルトカバー１８の開放部分を蓋状部材１８ａで閉じる構成とすることにより、ファンサポート２４の強度が向上し、ベルト３３への埃、油及び化学物質の暴露がより抑制可能となる。また、ベルト３３がプーリ３１，３２とかみ合うことによって生じる騒音を遮音する効果も得られる。
【００５１】
以上、上記の実施の形態１〜実施の形態３では、室内機４０を備えた空気調和機の構成、つまり、室内機４０と室外機との接続構成について特に言及しなかったが、室内機４０と室外機との接続構成によって本発明が限定するものではない。１台の室外機に１台の室内機４０が接続される空気調和機に上記の室内機４０を用いてもよいし、１台の室外機に複数台の室内機４０が接続される空気調和機に上記の室内機４０を用いてもよい。つまり、公知の種々の空気調和機に実施の形態１〜実施の形態３で示した室内機４０を採用することにより、実施の形態１〜実施の形態３で示した効果を得ることができる。
【符号の説明】
【００５２】
１  ケーシング、１ａ  背面ケーシング、１ｂ  上面ケーシング、１ｃ  前面ケーシング、１ｄ  側面ケーシング、２  吸込口、３  吹出口、４  ファン、５  熱交換器、６  フィンガーガード、７  エアフィルター、９  ボス、１０  モーター、１４  回転軸（ファン）、１７  回転軸（モーター）、１８  ベルトカバー、１８ａ  蓋状部材、２０  ファンユニット、２１  ベース板、２２  ベルマウス、２３  ベアリングマウント、２４  ファンサポート、２５  凹部、３０  ベルトドライブ機構、３１  プーリ、３２  プーリ、３３  ベルト、４０  室内機、Ｂ  線分、Ｃ  直線。
【図１】
2014142162.tif 000003
【図２】
2014142162.tif 000004
【図３】
2014142162.tif 000005
【図４】
2014142162.tif 000006
【図５】
2014142162.tif 000007
【図６】
2014142162.tif 000008
【図７】
2014142162.tif 000009
【図８】
2014142162.tif 000010
【図９】
2014142162.tif 000011
【図１０】
2014142162.tif 000012
【図１１】
2014142162.tif 000013
【図１２】
2014142162.tif 000014
【図１３】
2014142162.tif 000015
【図１４】
2014142162.tif 000016